【手続補正書】
【提出日】平成16年12月3日(2004.12.3)
【手続補正１】
【補正対象書類名】特許請求の範囲
【補正対象項目名】全文
【補正方法】変更
【補正の内容】
【特許請求の範囲】
【請求項１】
製品搬送および集積システムであって、
（ａ）製品の集積および搬送を行う第１の搬送手段であって、製品を運搬するための内側経路および外側経路を有する第１の搬送手段と、
（ｂ）上流の目的地点から受け取った製品を前記第１の搬送手段に、さらに最終的には下流の目的地点に運搬する第２の搬送手段であって、常に前記第１の搬送手段の前記内側経路にほぼ隣接して整列され、それにより、前記第１の搬送手段および前記第２の搬送手段の並列（tandem）移動の結果として、最初に前記第２の搬送手段から前記内側経路に運搬される上流側製品が通常、前記下流の目的地点に運搬される第１の製品である、第２の搬送手段と、
（ｃ）前記最初の上流製品を前記下流の目的地点に搬送すべき第１の製品として誘導するガイド手段と
を備える製品搬送および集積システム。
【請求項２】
前記第１の搬送手段および前記第２の搬送手段は、隣接整列状態でほぼ同一横方向平面上に位置する、請求項１に記載の製品搬送および集積システム。
【請求項３】
前記第１の搬送手段は単一の連続したコンベヤからなる、請求項１に記載の製品搬送および集積システム。
【請求項４】
前記第１の搬送手段および前記第２の搬送手段はほぼ同一速度で移動する、請求項１に記載の製品搬送および集積システム。
【請求項５】
前記第１の搬送手段および前記第２の搬送手段はほぼ同様の速度で移動する、請求項１に記載の製品搬送および集積システム。
【請求項６】
最初に運搬された製品の後に前記第２の搬送手段から運搬される上流側製品は通常、前記最初に運搬された製品が前記下流の目的地点に運搬された後、前記下流の目的地点に送出される、請求項１に記載の製品搬送および集積システム。
【請求項７】
前記第２の搬送手段によって前内側経路に運搬される前記最初の上流側製品は通常、前記下流の目的地点に運搬される前に、前記内側経路から前記外側経路へ移される、請求項１に記載の製品搬送および集積システム。
【請求項８】
さらに、前記内側および外側経路間に中間経路を備えている、請求項１に記載の製品搬送および集積システム。
【請求項９】
さらに、前記内側および外側経路間に中間経路を備えており、該経路は、前記上流の目的地点から運搬されている製品が、最初に前記外側経路に、次に前記中間経路に集積するように構成される、請求項７に記載の製品搬送および集積システム。
【請求項１０】
前記第１の搬送手段は、隣接整列状態で同一方向に途切れなく移動するように整列されている、請求項１に記載の製品搬送および集積システム。
【請求項１１】
前記第２の搬送手段は、単一のコンベヤである、請求項１に記載の製品搬送および集積システム。
【請求項１２】
製品搬送および集積システムであって、
（ａ）第１のコンベヤであって、該コンベヤの長さにわたって延びる内側経路および外側経路を有する第１のコンベヤと、
（ｂ）該第１のコンベヤの前記内側経路表面にほぼ隣接して整列している少なくとも１つの第２のコンベヤであって、隣接整列状態で前記第１のコンベヤと同一方向に途切れなく移動する少なくとも１つの第２のコンベヤと、
（ｃ）製品を前記第１のコンベヤから下流の目的地点に誘導するように構成された製品移動ガイドと
を備える製品搬送および集積システム。
【請求項１３】
前記第１のコンベヤおよび前記第２のコンベヤは、前記隣接整列状態でほぼ同一横方向平面上に位置する、請求項１２に記載の製品搬送および集積システム。
【請求項１４】
前記第１のコンベヤは、単一の連続したコンベヤを有する、請求項１２に記載の製品搬送および集積システム。
【請求項１５】
前記第１のコンベヤおよび前記第２のコンベヤは、ほぼ同一速度で移動する、請求項１２に記載の製品搬送および集積システム。
【請求項１６】
前記第１のコンベヤおよび前記第２のコンベヤは、ほぼ同様の速度で移動する、請求項１２に記載の製品搬送および集積システム。
【請求項１７】
さらに、前記第１の経路表面および前記第２の経路表面間に中間経路表面を備えている、請求項１２に記載の製品搬送および集積システム。
【請求項１８】
上流の目的地点から受け取った製品を前記第２のコンベヤから前記内側経路表面に運搬するように構成される、請求項１２に記載の製品搬送および集積システム。
【請求項１９】
さらに、製品を前記内側経路表面から前記外側経路表面に運搬するように構成される、請求項１８に記載の製品搬送および集積システム。
【請求項２０】
さらに、製品を通常、上流の目的地点から受け取った順序で、前記外側経路表面から下流の目的地点に運搬するように構成される、請求項１９に記載の製品搬送および集積システム。
【請求項２１】
上流の目的地点から受け取った製品を前記第２のコンベヤから前記内側経路表面に運搬し、また、製品を前記内側経路表面から前記外側経路表面に運搬するように構成される、請求項１７に記載の製品搬送および集積システム。
【請求項２２】
さらに、前記上流の目的地点から前記外側経路表面上に受け取った製品を前記中間経路表面上に集積するように構成される、請求項２１に記載の製品搬送および集積システム。
【請求項２３】
前記装置は、さらに、製品を通常、前記上流の目的地点から受け取った順序で、前記外側経路から下流の目的地点に運搬するように構成されている、請求項２２に記載の製品搬送および集積システム。
【請求項２４】
多重コンベヤシステムによって製品の運搬および集積を行う方法であって、
内側経路および外側経路を有する第１のコンベヤを設けるステップと、
第２のコンベヤを該第１のコンベヤの前記第１の経路にほぼ隣接して途切れなく整列させるステップと、
製品を該第２のコンベヤに載せるステップと、
製品を前記第１のコンベヤの前記内側経路に運搬するため、前記第２のコンベヤを所定速度で移動させるステップと、
前記第１のコンベヤを前記第２のコンベヤと並列に所定速度で移動させるステップと、
前記第２のコンベヤから受け取って前記第１のコンベヤ上にある製品を下流の目的地点に運搬するステップと、
前記下流の目的地点への製品運搬を変更するステップと、
前記第２のコンベヤ上のさらなる製品を前記第１のコンベヤの前記内側経路に運搬するステップと、
製品を、ほぼ前記第２のコンベヤから受け取った順序で、前記第１のコンベヤから前記下流の目的地点に運搬するステップと
を含む方法。
【請求項２５】
前記第１のコンベヤを隣接整列状態で前記第２のコンベヤと同一方向に移動させるさらなるステップを含む、請求項２４の方法。
【請求項２６】
製品を前記第１のコンベヤから前記下流の目的地点に誘導するガイドを設けるさらなるステップを含む、請求項２４の方法。
【請求項２７】
製品を前記内側経路から前記外側経路に運搬するさらなるステップを含む、請求項２４に記載の方法。
【請求項２８】
前記第２のコンベヤから後に受け取った製品を運搬する前に、通常は製品を前記外側経路から前記下流の目的地点に運搬するさらなるステップを含む、請求項２７に記載の方法。
【請求項２９】
前記第１のコンベヤおよび前記第２のコンベヤをほぼ同様の所定速度で移動させるさらなるステップを含む、請求項２４に記載の方法。
【請求項３０】
前記第１のコンベヤおよび前記第２のコンベヤをほぼ同一速度で移動させるさらなるステップを含む、請求項２４に記載の方法。
【請求項３１】
前記第１のコンベヤから前記下流の目的地点へ送出される製品は通常、前記外側経路から送出される、請求項２４に記載の方法。
【請求項３２】
製品を前記内側経路から前記外側経路に運搬するさらなるステップと、それから製品を前記内側および外側経路間の中間経路上に集積するさらなるステップとを含む、請求項２４に記載の方法。
【請求項３３】
通常は製品を最初に前記外側経路から、次に前記中間経路から、次に前記内側経路から前記下流の目的地点に運搬するさらなるステップを含む、請求項３２に記載の方法。